(57)【要約】【課題】  専用の姿勢制御用手段の省略によって情報読取部における構成の単純化による装置のコンパクト化、コスト低減を実現することのできる媒体搬送機構を提供すること。【解決手段】  画像読取部２４，２６を挟むように搬送路１２の上流側に配置された第１搬送ローラ対１５と下流側に配置された第２搬送ローラ対１７とにより、用紙９０は摺動ガイド面４３上を搬送される。第１搬送ローラ対１５は、用紙９０の先端側側縁を摺動ガイド面４３に押し付けるべく摺動ガイド面４３に向かう方向の送り力を発生し、第２搬送ローラ対１７は、用紙９０の後端側側縁を摺動ガイド面４３に押し付けるべく摺動ガイド面４３から離れる方向の送り力を発生する。これにより、画像読取部２４，２６上をスキューなく用紙９０を搬送することができる。【選択図】  図４
2005350268.tif 000002
【特許請求の範囲】
【請求項１】
媒体を搬送するための搬送路と、
前記媒体から情報を取得又は前記媒体へ情報を記録するためのデバイスを挟んで、前記搬送路の上流側及び下流側にそれぞれ配置された第１及び第２の搬送ローラ対と、
前記第１搬送ローラ対と前記第２搬送ローラ対との間に設けられ、前記媒体の一側縁に当接可能であり、前記搬送路に沿って前記媒体を案内するための摺動ガイド面とを有し、
前記第１搬送ローラ対は、前記媒体の先端側一側縁を前記摺動ガイド面に押し付けるべく構成され、
前記第２搬送ローラ対は、前記媒体の後端側一側縁を前記摺動ガイド面に押し付けるべく構成されていることを特徴とする媒体搬送機構。
【請求項２】
請求項１において、
前記第１及び第２ローラ対は、それらの回転軸が搬送路に対して傾斜して配置されており、
前記第１ローラ対のローラ軸は、前記摺動ガイド面に対して遠い側が搬送方向側に傾斜し、
前記第２ローラ対のローラ軸は、前記摺動ガイド面に対して近い側が搬送方向側に傾斜していることを特徴とする媒体搬送機構。
【請求項３】
請求項１において、
前記第１ローラ対は、第１送りローラと第１押えローラとを有し、少なくとも前記第１送りローラは、テーパ状のローラであり、
前記第２ローラ対は、第２送りローラと第２押えローラとを有し、少なくとも前記第２送りローラは、テーパ状のローラであることを特徴とする媒体搬送機構。
【請求項４】
請求項１において、
前記第１ローラ対は、第１送りローラと第１押えローラとを有し、前記第１送りローラには、径の異なる複数個のローラが配置され、
前記第２ローラ対は、第２送りローラと第２押えローラとを有し、前記第２送りローラには、径の異なる複数個のローラが配置されることを特徴とする媒体搬送機構。
【請求項５】
請求項４において、
前記複数個のローラのそれぞれのローラ軸は、自在継手で連結されていることを特徴とする媒体搬送機構。
【請求項６】
請求項１〜５のいずれかに記載の媒体搬送機構を備えた情報処理装置。
【請求項７】
媒体を搬送するための搬送路と、
前記媒体に記録された情報を読み取るための読取ヘッドと、
前記読取ヘッドの上流側近傍に設けられた第１送りローラと、
前記読取ヘッドの下流側近傍に設けられた第２送りローラと、
少なくとも前記第１送りローラと前記第２送りローラの間に設けられ、前記搬送路を搬送される前記媒体の一側縁を案内するための案内部と、を有し、
前記第１および第２送りローラは、当該第１・第２送りローラ間に位置する前記媒体を前記案内部に押し付けるように構成されていることを特徴とする情報処理装置。
【発明の詳細な説明】
【技術分野】
【０００１】
本発明は、単票の媒体を搬送する媒体搬送機構及びこの媒体搬送機構を備えた情報処理装置に関する。
【背景技術】
【０００２】
欧米を中心として、小切手を利用した決済システムが広く普及している。この決済システムにおいては、様々な支払いや送金が小切手の授受によって行われる。使用された小切手は、最終的に銀行に持ち込まれて入金や換金等が行われる。
【０００３】
銀行の各本支店の窓口では、短時間に多量の小切手が処理される。窓口担当銀行員は、小切手自体の確認、日付の確認、署名の照合等を行った後に入金や換金、また小切手に裏書きを行い、必要に応じてレシートを発行する。また銀行員は、本人確認のために免許証やＩＤカードの提示を顧客（小切手利用者）に求め、必要に応じて複写機でこの免許証やＩＤカードのコピーを取得したり、スキャナで小切手の画像を読み取り、これらを保管している。また、銀行間で小切手決済を行う場合は、小切手現品を物理的に輸送して決済処理している。
【０００４】
近年、小切手処理の効率化を図るために、小切手を電磁的に読み込み、処理する試みが始められている。この一環として、小切手の電磁的読み込み作業を銀行の窓口で行う試みや、銀行間の小切手決済を小切手現品処理に代えて小切手の画像データによって行う試みが始められてきており、窓口に設置可能な小型の小切手処理装置も提案されている。
【０００５】
この種の小切手処理装置は、通常、処理対象となる小切手を搬送するための小切手搬送路と、この小切手搬送路の途中に装備され搬送されて来た小切手に記録されている情報を読み取る情報読取部と、情報読取部よりも小切手搬送路上流側に装備され情報読取部へ小切手を送る第１搬送ローラ部と、情報読取部よりも小切手搬送路下流側に装備され情報読取部に到達した小切手を更に下流に送り出す第２搬送ローラ部とを備える。
【０００６】
そして、情報読取部には、例えば、小切手の画像を取り込むＣＩＳ（コンタクト・イメージ・センサ）を備えたスキャナと、磁気インクで記録された文字情報を読み取る磁気ヘッドを備えたＭＩＣＲ（磁気インク文字読取装置）とが備えられる。
【０００７】
なお、小切手処理装置への小切手の出し入れ操作を簡便にするために、給紙口と排紙口とを装置の前面に配置し、小切手搬送路をＵ字形に構成することが提案されている。また、紙詰まり等の際の保守を容易にするために、小切手搬送路は小切手を垂直に立てた姿勢で搬送するよう構成することが提案されている。更に、第１および第２搬送ローラ部は、装置小型化等のために、垂直に立てた小切手の下側領域を送りローラと押えローラとで挾持するよう構成することが提案されている。
【０００８】
また、情報読取部での読取精度を向上させるために、押付ローラや押付パッドで小切手をスキャナや磁気ヘッドの読取面に押圧するよう構成することが提案されている。
【０００９】
ところで、上記の第１および第２搬送ローラ部の各ローラは、回転軸を垂直に向けた円筒ローラで、小切手を正確に水平搬送できるように、取付け精度には注意が払われる。しかし、前述したように、これらの搬送ローラ部が小切手を挾持する部位が小切手の下側領域に偏っているため、部品取付け精度の僅かな誤差でも、搬送する小切手が傾いた姿勢で搬送されるスキューが発生し易い。スキューが発生すると、スキャナや磁気ヘッドによって読み取る画像や文字に歪みが生じたり、読取可能範囲から外れてしまう恐れがあり、延いては読取精度の低下を招くという不都合がある。
【００１０】
そこで、情報読取部には、第１および第２搬送ローラ部とは別に、搬送中の用紙のスキューを補正するスキュー補正手段を配置する技術が提案されている（例えば、特許文献１参照）。スキュー補正手段は、搬送方向に対して所定の角度だけ傾けて配置された複数の斜行ローラを備えて構成される。
【００１１】
【特許文献１】特開２０００−２３３８５３号公報
【発明の開示】
【発明が解決しようとする課題】
【００１２】
しかしながら、情報読取部に、スキュー補正専用部品である斜行ローラ装備する対応では、部品点数が増え、装置の大型化やコストアップを招くという問題がある。
【００１３】
そこで、本発明の目的は、情報読取部に専用のスキュー補正手段（姿勢制御用手段）を装備せずとも、情報読取部における小切手等の被処理媒体の斜行を防止することができ、専用の姿勢制御用手段の省略によって情報読取部における構成の単純化による装置のコンパクト化、コスト低減を実現することのできる媒体搬送機構およびこの媒体搬送機構を備えた情報処理装置を提供することにある。
【課題を解決するための手段】
【００１４】
上記目的を達成するため本発明の媒体搬送機構は、媒体を搬送するための搬送路と、前記媒体から情報を取得又は前記媒体へ情報を記録するためのデバイスを挟んで、前記搬送路の上流側及び下流側にそれぞれ配置された第１及び第２の搬送ローラ対と、前記第１搬送ローラ対と前記第２搬送ローラ対との間に設けられ、前記媒体の一側縁に当接可能であり、前記搬送路に沿って前記媒体を案内するための摺動ガイド面とを有し、前記第１搬送ローラ対は、前記媒体の先端側一側縁を前記摺動ガイド面に押し付けるべく構成され、前記第２搬送ローラ対は、前記媒体の後端側一側縁を前記摺動ガイド面に押し付けるべく構成されていることを特徴とする。
【００１５】
このように、上流側の第１搬送ローラ対により媒体の先端側一側縁を摺動ガイド面に押し付ける力を作用させ、下流側の第２搬送ローラ対により媒体の後端側一側縁を摺動ガイド面に押し付ける力を作用させることによって、簡素な構造でスキューのない搬送を実現することができる。
【００１６】
この場合において、前記第１及び第２ローラ対を、それらの回転軸が搬送路（搬送方向）に対して傾斜するように配置することで、前記媒体の先端側一側縁及び後端側一側縁を前記摺動ガイド面に押し付けることができる。すなわち、前記第１ローラ対のローラ軸は、前記摺動ガイド面に対して遠い側を搬送方向側に傾斜させ、前記第２ローラ対のローラ軸は、前記摺動ガイド面に対して近い側を搬送方向側に傾斜させるとよい。
【００１７】
また、前記第１及び第２ローラ対の構成要素である、第１及び第２送りローラと第１及び第２押えローラのうち、少なくとも前記第１及び第２送りローラを、テーパ状のローラとすることで、前記媒体の先端側一側縁及び後端側一側縁を前記摺動ガイド面に押し付けることができる。
【００１８】
また、前記第１及び第２ローラ対の構成要素である、第１及び第２送りローラと第１及び第２押えローラのうち、前記第１及び第２送りローラには、径の異なる複数個のローラを配置することで、前記媒体の先端側一側縁及び後端側一側縁を前記摺動ガイド面に押し付けることができる。なお、前記複数個のローラのそれぞれのローラ軸は、自在継手で連結することが好ましい。
【００１９】
本発明の情報処理装置は、上記の媒体搬送機構を備えて構成される。
【００２０】
また、本発明の情報処理装置は、媒体を搬送するための搬送路と、前記媒体に記録された情報を読み取るための読取ヘッドと、前記読取ヘッドの上流側近傍に設けられた第１送りローラと、前記読取ヘッドの下流側近傍に設けられた第２送りローラと、少なくとも前記第１送りローラと前記第２送りローラの間に設けられ、前記搬送路を搬送される前記媒体の一側縁を案内するための案内部と、を有し、前記第１および第２送りローラは、当該第１・第２送りローラ間に位置する前記媒体を前記案内部に押し付けるように構成されていることを特徴とする。
【発明を実施するための最良の形態】
【００２１】
以下、本発明に係る媒体搬送機構及びこの媒体搬送機構を備えた情報処理装置の好適な実施形態について、図面を参照して詳細に説明する。
【００２２】
図１に示す情報処理装置１０は、小切手や伝票等の単票の用紙９０に記録されている画像情報や磁気文字情報の読み取りを行う機能を有する小切手処理装置として好適なものである。この情報処理装置１０は、用紙９０が挿入される給紙部１１と、給紙部１１から送り出される用紙９０が搬送されるＵ字形の搬送路１２と、用紙９０が排出される排出口１４とを備えている。
【００２３】
また情報処理装置１０は、図２（ａ）に示すように、小切手等のように折り曲げ容易な材質からなる媒体（用紙９０）を搬送するための搬送路１２の他に、ＩＤカードや免許証等のように折り曲げ困難な材質からなる媒体(図示せず)を搬送するための直線状の搬送路１３を有している。搬送路１２の一対の曲線部間の直線部上方は、搬送路１３としても機能する。
【００２４】
搬送路１２に沿って、給紙部１１側から順に、用紙検知センサ２１、第１搬送ローラ対１５、情報読取部４１、第２搬送ローラ対１７，第３搬送ローラ対１８等が設けられている。
【００２５】
情報読取部４１は、磁石２３、ＣＩＳ等からなる２つの画像読取部２４，２６、これら画像読取部２４，２６に用紙９０を押し付ける押付ローラ２５及び押付装置２７、搬送ローラ対１６、搬送ローラ対１６の下方に設けられたＭＩＣＲヘッド２８及びＭＩＣＲヘッドに用紙９０を押し付ける不図示の押付パッドなどから構成されている。
【００２６】
第１搬送ローラ対１５は、情報読取部４１の上流側に配置されており、用紙９０を情報読取部４１に送り込み、第２搬送ローラ対１７は、情報読取部４１の下流側に配置されており、情報読取部４１に送り込まれた用紙９０を排出口１４側の第３搬送ローラ対１８に送り込む。第３搬送ローラ対１８は、排出口１４近傍に配置されており、用紙９０を排出口１４から排紙する。
【００２７】
２つの画像読取部２４，２６は、搬送路１２を挟んで対向配置されており、一方は用紙９０の第１面の画像の読み取りを行い、他方は用紙９０の第２面（第１面の反対の面）の画像の読み取りを行うことができる。
【００２８】
なお、図２（ａ）においては、説明を簡単にするため、４つの搬送ローラ対１５〜１８しか示していないが、さらに、用紙９０を搬送路１２内に取り込むためのフィードローラを給紙部１１の近傍に設けた構成としてもよい。
【００２９】
また、用紙９０に対して情報の書き込み（例えば印刷）ができるように、例えばＭＩＣＲヘッド２８と排出口１４との間の搬送路１２上に、情報記録装置（例えば印刷機構）を装備しても良い。
【００３０】
図２（ｂ）に示すように、搬送路１２は、用紙９０を両側から規制する搬送壁１２ａ，１２ｂを備え、この２つの搬送壁１２ａ，１２ｂ間の隙間を用紙９０が搬送されるようになっている。
【００３１】
搬送路１２において、給紙部１１から第１搬送ローラ対１５に到達するまでの直線状の範囲、及び、第２搬送ローラ対１７の先方（下流側）から排出口１４に到達するまでの直線状の範囲は、搬送壁１２ａ、１２ｂの高さが、用紙９０の高さ寸法Ｋの約半分程度に低く設定されている。これにより、仮に紙詰まりが生じても、容易に用紙９０を取り出すことができる。
【００３２】
給紙部１１から搬送路１２内に用紙９０が挿入されると、用紙検知センサ２１が用紙９０を検知し、この用紙検知センサ２１の検出信号をトリガとして、フィードローラ（不図示）や各搬送ローラ対１５〜１８の作動が開始される。また、画像読取部２４，２６やＭＩＣＲヘッド２８等が順次作動して、搬送路１２を搬送される用紙９０の画像読取や磁気文字読取等の処理が実行される。
【００３３】
用紙９０が小切手等で、磁気インク文字による記録情報がある場合には、搬送時に、その磁気インク文字が第１搬送ローラ対１５の下流側に配置された磁石２３によって磁化されることで、ＭＩＣＲヘッド２８による読み取りが可能になる。
【００３４】
各搬送ローラ対１５〜１８は、搬送路１２の内周側に配置されて不図示の駆動源（モータ）によって回転駆動される送りローラ（駆動ローラ）１５ａ〜１８ａと、搬送路１２の外周側に配置されて用紙９０を送りローラ１５ａ〜１８ａに押圧する押えローラ（従動ローラ）１５ｂ〜１８ｂとをそれぞれ備えている。各搬送ローラ対１５〜１８は、送りローラ１５ａ〜１８ａと押えローラ１５ｂ〜１８ｂとの間に用紙９０を挾持した状態で、送りローラ１５ａ〜１８ａの回転に応じて用紙９０を搬送方向Ｈ（水平方向）に送り出す。
【００３５】
次に、画像読取部２４，２６における画像情報の読み取り処理について説明する。
【００３６】
第１画像読取部２４は、読取面を搬送路１２側に向けた状態で、搬送路１２の外周側搬送壁１２ｂに取り付けられている。そして、この第１画像読取部２４に対向する搬送路１２の内周側搬送壁１２ａには、用紙９０を第１画像読取部２４の読取面に押し付ける押付ローラ２５が装備されている。
【００３７】
第２画像読取部２６は、読取面を搬送路１２側に向けた状態で、第１画像読取部２４の下流の内周側搬送壁１２ａに取り付けられている。そして、この第２画像読取部２６に対向する搬送路１２の外周側搬送壁１２ｂには、用紙９０を第２画像読取部２６の読取面に押し付ける押付装置２７が装備されている。
【００３８】
したがって、搬送路１２上を搬送される用紙９０は、第１画像読取部２４の前を通過する時に外周側の面の画像情報が読み取られ、第２画像読取部２６の前を通過する時に内周側の面の画像情報が読み取られる。
【００３９】
搬送路１２の第１−第２搬送ローラ対間（画像読取領域）では、搬送壁１２ａ，１２ｂの高さが、用紙９０の高さ寸法Ｋより高く設定されている。そのため、この画像読取領域を搬送中の用紙９０は、両面が完全に搬送壁１２ａ，１２ｂによって覆われ搬送路１２内に隠れた状態になる。
【００４０】
図３は、内周側搬送壁１２ａに配置された、第１搬送ローラ対１５の送りローラ１５ａ、第１画像読取部２４用の押付ローラ２５、第２画像読取部２６、ＭＩＣＲヘッド２８、搬送ローラ対１６の送りローラ１６ａ、第２搬送ローラ対１７の送りローラ１７ａの配置状態を示している。
【００４１】
図３に示すように、搬送路１２の画像読取領域に相当する内周側搬送壁１２ａの下部には、用紙９０の一側縁（下端縁）が当接する水平な摺動ガイド面４３が搬送方向に沿って延設されている。
【００４２】
また、図４に示すように、第１搬送ローラ対１５は、ローラ回転軸１５ｃが摺動ガイド面４３の垂線方向から搬送方向Ｈに角度θ１だけ前傾させた状態で配置されている。したがって、第１搬送ローラ対１５の送り力Ｆ１の方向と摺動ガイド面４３の垂線方向とは９０度とはならず、第１搬送ローラ対１５の送り力Ｆ１には摺動ガイド面４３の垂線方向成分が存在する。搬送される用紙９０の先端側一側縁（下縁）は、第１搬送ローラ対１５の送り力Ｆ１の摺動ガイド面４３の垂線方向成分によって摺動ガイド面４３に押し付けられる。なお、第１搬送ローラ対１５について、その上部側が搬送方向に傾斜している状態を前傾と表現している。
【００４３】
一方、第２搬送ローラ対１７は、図４に示すように、ローラ回転軸１７ｃを摺動ガイド面４３の垂線方向から用紙搬送方向とは反対側に角度θ２だけ後傾させた状態で配置されている。したがって、第２搬送ローラ対１７の送り力Ｆ２の方向と摺動ガイド面４３の垂線方向とは９０度とはならず、第２搬送ローラ対１７の送り力Ｆ２には摺動ガイド面４３の垂線方向成分が存在する。搬送される用紙９０の先端側は、第２搬送ローラ対１７の送り力Ｆ２の摺動ガイド面４３の垂線方向成分によって上方に付勢され、これにより用紙９０の後端側一側縁（下縁）が摺動ガイド面４３に押し付けられる。なお、第２搬送ローラ対１７について、その上部側が搬送方向の反対方向に傾斜している状態を後傾と表現している。
【００４４】
本実施形態では、このように、第１及び第２画像読取部２４、２６を挟むように配置された第１及び第２搬送ローラ対１５、１７のそれぞれのローラ回転軸１５ｃ，１７ｃを、摺動ガイド面４３の垂線方向に対して前傾または後傾させるように配置し、常に用紙９０を摺動ガイド面４３に付勢して摺動ガイド面４３に沿って搬送させることにより、用紙９０の一部でも第１−第２搬送ローラ対１５，１７間に存在する状態ではスキューが発生しないようにしている。
【００４５】
なお、第１搬送ローラ対１５が単独で用紙９０を水平搬送した時に予想される用紙９０の前端の摺動ガイド面４３からの浮き上がり量をｘとすると、用紙９０が読取開始位置に達するまでの浮き上がり量ｘを０に補正することによりスキューの発生を防止するためには、ローラ回転軸１５ｃの水平位置（ローラ回転軸線と摺動ガイド面の延長線との交点）から第１画像読取部２４による読取位置２４ａまでの水平距離（搬送方向長さ）がＬ１であるとき、ローラ回転軸１５ｃの傾斜角θ１は、次の（１）式を満足する範囲に設定すると良い。
θ１≧tan-1(ｘ／Ｌ１)  ・・・（１）
【００４６】
このようにθ１を決定してやることにより、用紙９０の先端が第１画像読取部２４に到達した時点では、用紙９０は摺動ガイド面４３によって用紙搬送方向に平行にガイドされた状態となる。
【００４７】
また、第２搬送ローラ対１７が単独で用紙９０を搬送した時に予想される用紙９０の送りローラ１６ａ上での滑りを０とすることによりスキューの発生を防止するためには、第２搬送ローラ対１７のローラ回転軸１７ｃの中心位置からＭＩＣＲヘッド２８による読取位置２８ａまでの水平距離がＬ２ｘ、送りローラ１６ａ上の作用点ＦｃからＭＩＣＲヘッド２８までの垂直距離がＬｍ、送りローラ１６ａ上の作用点Ｆｃからローラ１７ａ，１７ｂまでの垂直距離がＬ２ｙ、用紙９０をＭＩＣＲヘッド２８に押圧するための不図示の押付パッドにより用紙９０に作用する摩擦力がＦｍであるとき、ローラ回転軸１７ｃの傾斜角θ２は、次の（２）式を満足する範囲に設定すると良い。なお、作用点Ｆｃは、送りローラ１６ａと押えローラ１６ｂとの関係で定まり、本実施形態では図４に示す位置である。
Ｌ２ｘ・Ｆ２sinθ２＋Ｌ２ｙ・Ｆ２cosθ２≧Ｌｍ・Ｆｍ  ・・・（２）
【００４８】
以上説明したように、情報処理装置１０の用紙搬送機構では、搬送方向の先端が第１搬送ローラ対１５に到達した用紙９０は、図５に示すように、第１搬送ローラ対１５が発生する摺動ガイド面４３に向かう方向に傾斜した送り力Ｆ１によって、先端の側縁（下縁）が確実に摺動ガイド面４３に当たる前傾姿勢となって情報読取部４１に進入するため、摺動ガイド面４３に当接する側縁の領域が進入に伴って徐々に増えて摺動ガイド面に平行に搬送される。したがって、本発明の用紙搬送機構によれば、スキューの発生がなく、用紙９０を情報読取部４１に送り込むことができる。
【００４９】
そして、第１搬送ローラ対１５によって情報読取部４１に送り込まれた用紙９０は、搬送が進むにつれて、図６に示すように先端が第２搬送ローラ対１７に到達すると、第１搬送ローラ対１５と第２搬送ローラ対１７との双方の送り力によって搬送されることになる。先端が第２搬送ローラ対１７に到達した用紙９０は、今度は第２搬送ローラ対１７が発生する摺動ガイド面４３から離れる方向に傾斜した送り力Ｆ２によって、後端の側縁（下縁）が確実に摺動ガイド面４３に当たった状態を維持する後傾姿勢に付勢されるため、搬送が更に進んで、図７に示すように、第２搬送ローラ対１７が単独で用紙９０の搬送を行うようになっても、第１搬送ローラ対１５による送り力が解除された用紙９０の後端が、摺動ガイド面４３から離れてしまうことが防止され、それ以前と同様に、用紙９０が情報読取部４１の領域を通過し終えるまで、用紙９０の側縁が適正に摺動ガイド面４３に当接して、スキューの発生がなく良好に搬送される状態が維持される。
【００５０】
即ち、本実施の形態の用紙搬送機構では、情報読取部４１の両側に配置されている第１搬送ローラ対１５と第２搬送ローラ対１７だけで、スキューのない良好な搬送を実現することができる。
【００５１】
したがって、情報読取部４１に専用のスキュー補正手段を装備せずとも、情報読取部４１における用紙９０等の被処理媒体の斜行を防止することができ、専用のスキュー補正手段の省略によって情報読取部４１における構成の単純化による装置のコンパクト化、コスト低減を実現することができる。
【００５２】
なお、第１搬送ローラ対１５及び第２搬送ローラ対１７により、摺動ガイド面４３に対して所定角度傾斜した送り力Ｆ１，Ｆ２を発生させる構成は、上記実施形態で示したローラ回転軸を傾斜させる構成に限らない。
【００５３】
例えば、ローラ回転軸は用紙９０の搬送方向に対して直交する垂直方向とし、図８（ａ）に示すように、送りローラ１５ａ，１７ａに外周面が傾斜したテーパローラを使用することでも実現できる。図示のとおり、送りローラ１５ａについては、そのローラ径は、上方が大径、下方が小径となる。また、図示は省略するが、送りローラ１７ａについては、そのローラ径は、下方が大径、上方が小径となる。尤も、送りローラ１５ａ，１７ａだけではなく押えローラ１５ｂ，１７ｂもテーパローラにしてもよい。
【００５４】
あるいは、ローラ回転軸は用紙９０の搬送方向に対して直交する垂直方向とし、図８（ｂ）に示すように、垂直方向に複数の送りローラを設けて、これらの送りローラ径を変える構成であってもよい。この場合に、複数の送りローラのローラ回転軸を自在継手で連結すれば、駆動力の伝達を簡単な構造で容易に行うことができる。図示のとおり、送りローラ１５ａについては、そのローラ径は、上方のローラが下方のローラに比して大径となる。また、図示は省略するが、送りローラ１７ａについては、そのローラ径は、下方のローラが上方のローラに比して大径となる。
【００５５】
また、上記実施形態の媒体搬送機構は、用紙９０を垂直に立てた姿勢で搬送する構造であったが、用紙９０を水平姿勢で搬送する構造にも本発明を応用可能である。
【００５６】
なお、本発明の媒体搬送機構は、プリンタや複写機等の用紙搬送機構にも適用可能であり、小切手処理装置に限定されない。
【図面の簡単な説明】
【００５７】
【図１】本発明に係る媒体搬送機構を採用した情報処理装置の一実施形態の外観斜視図である。
【図２】（ａ）は情報処理装置の内部構造を模式的に表した平面図、（ｂ）は（ａ）のＩ−Ｉ線方向の断面図である。
【図３】媒体搬送機構の主要部を示した斜視図である。
【図４】媒体搬送機構が備える搬送ローラ対の回転軸の傾きを示した説明図である。
【図５】媒体搬送機構の第１搬送ローラ対に用紙先端が送り込まれ、第１搬送ローラ対のみで用紙が搬送される状態を示した説明図である。
【図６】媒体搬送機構の第１搬送ローラ対と第２搬送ローラ対の双方に用紙が挟持され、双方の搬送ローラ対の協働で用紙が搬送される状態を示した説明図である。
【図７】媒体搬送機構の第１搬送ローラ対から用紙の後端が抜けて、第２搬送ローラ対のみで用紙が搬送される状態を示した説明図である。
【図８】媒体搬送機構の第１搬送ローラ対の他の実施例を示した説明図である。
【符号の説明】
【００５８】
１０  情報処理装置、１１  給紙部、１２  搬送路、１４  排出口、１５  第１搬送ローラ対、１７  第２搬送ローラ対、１５ａ，１７ａ  送りローラ、１５ｂ，１７ｂ  押えローラ、１５ｃ，１７ｃ  ローラ回転軸、２４  第１画像読取部、２５  押付ローラ、２６  第２画像読取部、２７  押付装置、２８  ＭＩＣＲヘッド、４１  情報読取部、４３  摺動ガイド面、９０  用紙。
【図１】
2005350268.tif 000003
【図２】
2005350268.tif 000004
【図３】
2005350268.tif 000005
【図４】
2005350268.tif 000006
【図５】
2005350268.tif 000007
【図６】
2005350268.tif 000008
【図７】
2005350268.tif 000009
【図８】
2005350268.tif 000010